(57)【要約】【課題】  操作者の使い勝手を向上した携帯端末を提供することを目的とする。【解決手段】  上記課題を解決するために、本発明にかかる携帯端末は、仮名文字を入力する入力手段と、前記入力手段から入力された仮名文字の全てが一致する第１の変換候補を出力する第１の出力手段と、前記入力手段から入力された仮名文字の一部が一致する第２の変換候補を出力する第２の出力手段と、第１の出力手段と前記第２の出力手段を切り替える切替手段と、前記第１の変換候補と前記第２の変換候補を同じ表示領域に表示する表示手段とを備える。【選択図】図１５
2005115429.tif 000002
【特許請求の範囲】
【請求項１】
仮名文字を入力する入力手段と、
前記入力手段から入力された仮名文字の全てが一致する第１の変換候補を出力する第１の出力手段と、
前記入力手段から入力された仮名文字の一部が一致する第２の変換候補を出力する第２の出力手段と、
第１の出力手段と前記第２の出力手段を切り替える切替手段と、
前記第１の変換候補と前記第２の変換候補を同じ表示領域に表示する表示手段と、
を備えていることを特徴とする携帯端末。
【請求項２】
前記表示手段は、前記切替手段の切り替えに応じて、前記第１の変換候補あるいは前記第２の変換候補のいずれか一方を表示することを特徴とする請求項１に記載の携帯端末。
【請求項３】
請求項１または２に記載の携帯端末は、前記入力手段から入力した文字をコード変換するコード変換手段を複数備え、
前記表示手段は、前記切替手段の切り替えに応じて、前記複数のコード変換手段の中から使用可能なコード変換手段を示す情報を表示することを特徴とする携帯端末。
【請求項４】
文字を入力する入力手段と、
前記入力手段から入力された文字列を漢字仮名交じり文に変換し候補を作成する仮名漢字変換手段と、
前記入力手段から入力された文字列を補完し、候補を作成する予測変換手段と、
前記仮名漢字変換手段と前記予測変換手段とを切り替える切替手段と、
前記仮名漢字変換手段の作成する候補、または、前記予測変換手段の作成する候補を表示する表示手段と、を備え、
前記仮名漢字変換手段の作成する候補と、前記予測変換手段の作成する候補を、前記表示手段の同じ表示領域に表示することを特徴とする携帯端末。
【請求項５】
請求項４に記載の携帯端末は、前記入力手段から入力された文字列をコード変換するコード変換手段を複数備え、
前記表示手段は、前記切替手段の切り替えに応じて、前記複数のコード変換手段の中から使用可能なコード変換手段を示す情報を表示することを特徴とする携帯端末。
【請求項６】
請求項４に記載の携帯端末は、アドレス帳検索やメール文作成を含む複数のメニューの中から１つを選択する選択手段と、前記入力手段から入力された文字列をコード変換するコード変換手段を複数備え、
前記表示手段は、前記選択手段により選択されたメニューに応じて、前記複数のコード変換手段の中から使用可能なコード変換手段を示す情報を表示することを特徴とする携帯端末。
【請求項７】
請求項４に記載の携帯端末は、前記入力手段から入力された文字列をコード変換するコード変換手段を複数備え、
前記表示手段は、前記入力手段により入力された文字に応じて、前記複数のコード変換手段の中から使用可能なコード変換手段を示す情報を表示することを特徴とする携帯端末。
【発明の詳細な説明】
【技術分野】
【０００１】
本発明は、文字入力を行うことが可能な携帯端末に関する。
【背景技術】
【０００２】
近年、携帯電話は、音声通話機能の他に、ホームページ閲覧機能や、電子メール送受信機能が搭載された端末が普及している。電子メール送受信機能を使用して電子メールを作成するために、携帯電話の数字キーを使用してひらがなの入力を行い、これを仮名漢字変換することで漢字とかなの混じった日本語文字列を作成する機能を備える携帯電話が一般的となっている。
【０００３】
ところが、携帯電話のキーは、パーソナルコンピュータなどに比べ、キー数が少なく、１つのキーに複数のひらがなを割り当てて使用する場合が多い。たとえば、数字キーの「２」には「かきくけこ」の５文字を割り当て、１度「２」キーを押下すると「か」を入力し、もう一度「２」キーを押下すると「き」を入力するというような操作を行う。たとえば、「きょうは」というひらがなを入力する場合には、「２」キーを２回（き）＋「８」キーを６回(ょ)＋「１」キーを３回(う)＋「６」キーを１回(は)、計１２回のキー押下が必要であった。さらにこれを仮名漢字変換するために、携帯電話上の何らかのキーを押下する操作も加わり、打鍵数の多さが操作者の負担となっていた。
【０００４】
この問題を解決するために、仮名漢字変換機能の他に、ひらがなを補完して入力する機能(ここでは予測機能と称する)を備え、すべてのひらがなを入力しなくても、目的の漢字を入力できる装置があった(例えば特許文献１参照)。これは「２」キーを２回押下し、「き」を入力した時点で、「き」で始まる単語を検索処理し、操作者に表示する。操作者は、表示された単語の中から単語を選択することで、すべてのひらがなを入力する必要なしに目的の単語を入力することが出来る。
【０００５】
【特許文献１】特開２００１−３２５２５２号公報
【発明の開示】
【発明が解決しようとする課題】
【０００６】
上記文献に記載の装置では、仮名漢字変換機能と予測機能はともに、入力されたひらがな文字列を使用して、漢字仮名の文字列を作成する。たとえば、「今日は」という日本語文字列を入力する場合、まず、ひらがな「き」を入力した時点で、仮名漢字変換し、「機」「気」「来」「木」などの仮名漢字変換候補を取得する。また、同時に予測機能を使用して「き」で始まる単語を検索し、「今日」「機能」「企業」「君」などの推測候補を取得する。操作者には、これを同時に表示しているため、「き」を入力した時点で「今日」「機能」「企業」「君」「機」「気」「来」「木」が候補として表示され、候補が多く、操作者が選択するのに労力を要する。
【０００７】
また、逆に、仮名漢字変換機能と、予測機能を異なる操作手順で操作する例もあり、これは、操作者が、２通りの操作手順を習得する必要があり、操作者の負担となっていた。
【０００８】
そこで、本発明は操作者の使い勝手を向上した携帯端末を提供することを目的とする。
【課題を解決するための手段】
【０００９】
上記課題を解決するために、本発明にかかる携帯端末は、仮名文字を入力する入力手段と、前記入力手段から入力された仮名文字の全てが一致する第１の変換候補を出力する第１の出力手段と、前記入力手段から入力された仮名文字の一部が一致する第２の変換候補を出力する第２の出力手段と、第１の出力手段と前記第２の出力手段を切り替える切替手段と、前記第１の変換候補と前記第２の変換候補を同じ表示領域に表示する表示手段とを備える。
【発明の効果】
【００１０】
本発明によれば、操作者の使い勝手を向上した携帯端末を提供することができる。
【発明を実施するための最良の形態】
【００１１】
以下に、本発明の実施例について説明する。
【００１２】
図２は、本発明の実施形態にかかる携帯端末の外観図である。２０１は文字を入力する数字キー、２０２は入力した文字を表示する液晶画面、２０３は通信するためのアンテナである。
【００１３】
図１は、図２にしめした携帯端末の基本ブロック図である。１０１は数字キーなどの入力手段、１０２は入力した文字や、操作中の画面を表示する表示手段、１０３はアンテナなどの通信手段、１０４はプログラムを格納するＲＯＭ、１０５はプログラムを実行する際に使用するＲＡＭ、１０６は上記各手段を制御する制御手段、１０７は上記各手段に電源を供給するバッテリーなどの電源手段である。
【００１４】
図３は、図２の数字キー２０１を具体的に示す図である。３０１は、数字やひらがなを入力する文字キー、３０２は入力した数字は文字を消去するクリアキー、３０３は数字で入力した電話番号に発信操作する発信キー、３０４は電源キー、３０５はカーソルを移動させるための４方向キーと、方向キーで選択した項目を選択するための確定キー、３０６と３０７は、場面によって機能を切り替えて使用する切り替えキー、である。
【００１５】
図４は、電源キーを押下した後の処理フローを示す図である。電源オンされると、制御手段１０６は、ＲＯＭ１０４からプログラムを実行し、表示手段１０２にメニュー画面を表示する(４０１)。メニュー画面表示中にキー入力があるか否かを検知し(４０２)、キー入力がない場合は、さらに通信手段による検知を行い、相手から本携帯電話に着信があるか否かを判定し(４０３)、着信がある場合には、着信処理(４０４)を実行する。処理終了後は、メニュー画面に戻る。
【００１６】
メニュー画面の画面例を図５に示す。操作者は、メニュー画面に表示されたカーソル５０１を、方向キー３０５で移動し、確定キー３０５を押下することで選択することができる。５０４、５０５、５０６は、切り替えキー３０６、確定キー３０５、切り替えキー３０７に割り当てた機能を表示するためのガイド領域である。
【００１７】
操作者により確定キー３０５が押下されると、どのメニューを選択したかを判定し(４０５)、操作者が選択した機能に応じた処理を行う(４０６)。終了後は、再び、メニューに戻る。
【００１８】
本実施例の場合、４０５及び４０６の処理中は、着信操作ができないフローとなっているが、この処理中にも着信処理を受け付けるよう構成してもよい。処理中も着信処理を受け付けるようにすることにより、重要電話を受けそこなうといった問題発生を防止することができる。
【００１９】
以下、「今日」を入力する場合を例にとって、予測機能および仮名漢字変換機能を説明する。
【００２０】
図６は、図５に示したメニュー画面で、Ｅメール作成を選択した場合の画面である。６０１は、入力中の文字列を表示する文字列領域、６０２は次に文字を入力した場合の挿入位置を示すカーソル、６０３は仮名漢字変換および予測候補を候補表示領域である。６０４はＥメール作成操作を中断し、メニュー画面(４０１)に戻るためのキーである。６０５は候補領域から候補を選択するためのキー、６０６は入力したひらがなを仮名漢字変換するためのキーである。
【００２１】
図７は、文字キー(３０１)の「２か」キーを１度押下した場合の画面である。「２か」キーを押下すると、文字列領域には「か」を表示する(７０１)。また、候補表示領域には、「か」で始まる単語を予測機能辞書より検索し、予測候補として表示する。さらに「２か」キーを押下すると、図８のように文字列領域には「き」を表示し(８０１)、候補表示領域には、「き」で始まる単語を予測候補として表示する(８０２)。
【００２２】
図９は、同様にして、「きょ」を入力した画面例である。この画面で、方向キー(３０５)の下キーを押下すると、図１０の画面のように候補表示領域に候補選択カーソル(１００１)を表示する。さらにもう一度、方向キーの下キーを押下すると、図１１の画面のように候補選択カーソルを「今日」に表示する。ここで方向キー(３０５)の確定キーを押下すると、図１２のように候補選択カーソルの候補を、文字列領域６０１に表示する。
【００２３】
上記のように、仮名漢字変換を使用する場合には、「きょうは」の４文字を入力する必要があるところを、「きょ」の２文字のみを入力し、候補表示領域から選択するだけで「今日」を入力することができる。
【００２４】
次に、「今日は天気が」を入力する際の画面例を示す。
【００２５】
予測機能の場合、単語単位で検索するため、ひらがなが「きょうはてんきが」のように複数文節の入力があった場合、推測候補を表示出来ない場合が多い。この場合は、仮名漢字変換を使用して入力する。
【００２６】
ここで、本発明では、推測機能と同様の操作により、仮名漢字変換を操作出来るため、操作者が新たな操作を習得する必要がなく、簡単な操作を提供することができる。
【００２７】
図１３は、ひらがな「きょうはてんきが」を入力した画面である。この状態では候補表示領域には適当な候補がない場合が多く、この場合、仮名漢字変換を使用する。切り替えキー３０７を押下すると、図１４のように、仮名漢字変換候補を候補表示領域に表示する。この画面で、方向キー３０５の下キーを押下すると、図１５の画面のように候補表示領域に候補選択カーソル１５０１を表示する。さらにもう一度、方向キーの下キーを押下すると、候補表示領域の次の候補に候補選択カーソルが移動する(図１６)。
【００２８】
ここで方向キー３０５の確定キーを押下すると、図１７のように候補選択カーソルの候補を、文字列領域６０１に表示する。続いて、引き続き、残りの「てんきが」の仮名漢字変換候補を候補表示領域に表示する。この際、すぐに候補を選択することができるように、下キーを押下しなくても、候補表示領域に候補選択カーソル１７０１を表示する。
【００２９】
上記のように、仮名漢字変換を行った際も、予測機能による候補選択と同様の候補選択操作を提供することにより、操作者が新たな操作を習得する必要がなく、簡単な操作を提供することができる。
【００３０】
また、図１４の仮名漢字変換の候補表示中には、切り替えキー２(３０７)は、「予測」を表示し、このキーを押下することで、元の図１３の状態に戻すことができる。切り替えキー２(３０７)を使用して、予測機能の候補表示と、仮名漢字変換の候補表示を切り替えることで、両機能の操作上の隔たりをなくし、操作者の負担を軽減することができる。
【００３１】
次に、本発明でカタカナを入力する場合の実施例について説明する。図１８は、ひらがな「きょ」を入力した画面例である。この画面で、候補の末尾に表示した「半カタ」、「カタ」(１８０１)は、機能候補である。この機能候補は、通常の候補と異なり、入力したひらがなをカタカナにして入力することを示す候補である。
【００３２】
操作者は、この画面で、方向キー(３０５)の上キーを押下すると、図１９のように、候補選択カーソルを末尾の「カタ」の機能候補に表示する(１９０１)。ここで、方向キー３０５の確定キーを押下すると、図２０のように入力した「きょ」をカタカナにして文字列領域６０１に表示する。仮名漢字変換についても同様の操作でカタカナを入力することができる。
【００３３】
図２１は、ひらがな「きょうはてんきが」を入力した画面例である。この画面で、候補の末尾に表示した「半カタ」、「カタ」(２１０１)は、機能候補である。
【００３４】
操作者は、この画面で、方向キー３０５の上キーを押下すると、図２２のように、候補選択カーソルを末尾の「カタ」の機能候補に表示する(２２０１)。ここで、方向キー３０５の確定キーを押下すると、図２３のように入力した「きょうは」をカタカナにして文字列領域６０１に表示する。
【００３５】
操作者は、予測機能の候補表示中でも、仮名漢字変換の候補表示中でも、共通の操作で(上キーを押下し、確定キーを押下することで)、カタカナを入力することができる。機能候補「半カタ」は、入力したひらがなを半角のカタカナにして、文字列領域６０１に表示する候補であり、機能候補「カタ」と同様の操作で使用することができる。
【００３６】
カタカナの候補を機能候補として表示することは以下の利点がある。たとえば、入力されたひらがなが「てにす」である場合を例にとって説明する。仮名漢字変換の候補を作成する際に、仮名漢字変換機能の辞書に「テニス」が登録してあり、通常の候補に既にカタカナ候補が存在する場合がある。この場合、候補領域の中の候補順位は、仮名漢字変換機能おのおのによって異なる。このため、前述のように、「上キーを押下し、確定キーを押下する」という操作は使用出来ず、操作者は、候補一覧の中から候補を見つけ出し、そこまで候補選択カーソルを移動してから確定するという手間がかかる。本発明の場合は、どのような場合でも決まった操作でカタカナを入力することができ、操作者の負担を軽減することができる。
【００３７】
また、Ｅメール本文などのように、半角カタカナを入力することができないような場面では、機能候補「半カタ」は表示せず、機能候補「カタ」のみ表示する。機能候補は場面によって表示するか否かを切り替えて表示する。
【００３８】
また、半角カタカナや、カタカナに変換出来るのはひらがなだけであり、入力した文字列が英字である場合には、半角カタカナや、カタカナにすることはできない。この場合、入力した文字列を判定し、英字であった場合には、機能候補の表示を「半カタ」、「カタ」でなく、「大文字」、「小文字」などと機能を変えて表示することも可能である。
【００３９】
たとえば、入力した文字が「Ａｂｃ」である時、「大文字」の機能候補を選択すると、文字列領域に「ＡＢＣ」を表示する。また、「小文字」の機能候補を選択すると、文字列領域に「ａｂｃ」を表示する。
【００４０】
本実施形態によれば、仮名漢字変換機能と、推測機能を分けて表示し、操作者が選択する候補数を少なく押さえるとともに、仮名漢字変換機能と推測機能を同様の操作性で実現し、操作者が別々の操作を習得する必要なく、両者機能を使用することができる。具体的には、仮名漢字変換手段と、推測手段と、両手段を切り替える切り替え手段を備える。また、両手段を同じ表示形式で表示する候補表示手段を備える。切り替え手段により、簡単に両機能の候補を切り替えることで、候補数を少なく押さえ、操作者が候補を選択する労力を削減する。また、仮名漢字変換手段と推測手段を同じ表示形式で表示する候補表示手段により、操作者の操作手順の習得を容易にすることができる。
【図面の簡単な説明】
【００４１】
【図１】本発明の実施例にかかる携帯端末の基本ブロック図である。
【図２】本実施例にかかる携帯端末の外観図を示す図である。
【図３】本実施例にかかる携帯端末の数字キーの具体例を示す図である。
【図４】本実施例の処理フローを示す図である。
【図５】本実施例の画面例を示す図である。
【図６】本実施例の画面例を示す図である。
【図７】本実施例の画面例を示す図である。
【図８】本実施例の画面例を示す図である。
【図９】本実施例の画面例を示す図である。
【図１０】本実施例の画面例を示す図である。
【図１１】本実施例の画面例を示す図である。
【図１２】本実施例の画面例を示す図である。
【図１３】本実施例の画面例を示す図である。
【図１４】本実施例の画面例を示す図である。
【図１５】本実施例の画面例を示す図である。
【図１６】本実施例の画面例を示す図である。
【図１７】本実施例の画面例を示す図である。
【図１８】本実施例の画面例を示す図である。
【図１９】本実施例の画面例を示す図である。
【図２０】本実施例の画面例を示す図である。
【図２１】本実施例の画面例を示す図である。
【図２２】本実施例の画面例を示す図である。
【図２３】本実施例の画面例を示す図である。
【符号の説明】
【００４２】
１０１  数字キーなどの入力手段
１０２  入力した文字や、操作中の画面を表示する表示手段
１０３  アンテナなどの通信手段
１０４  プログラムを格納するＲＯＭ
１０５  プログラムを実行する際に使用するＲＡＭ
１０６  上記各手段を制御する制御手段
１０７  上記各手段に電源を供給するバッテリーなどの電源手段
【図１】
2005115429.tif 000003
【図２】
2005115429.tif 000004
【図３】
2005115429.tif 000005
【図４】
2005115429.tif 000006
【図５】
2005115429.tif 000007
【図６】
2005115429.tif 000008
【図７】
2005115429.tif 000009
【図８】
2005115429.tif 000010
【図９】
2005115429.tif 000011
【図１０】
2005115429.tif 000012
【図１１】
2005115429.tif 000013
【図１２】
2005115429.tif 000014
【図１３】
2005115429.tif 000015
【図１４】
2005115429.tif 000016
【図１５】
2005115429.tif 000017
【図１６】
2005115429.tif 000018
【図１７】
2005115429.tif 000019
【図１８】
2005115429.tif 000020
【図１９】
2005115429.tif 000021
【図２０】
2005115429.tif 000022
【図２１】
2005115429.tif 000023
【図２２】
2005115429.tif 000024
【図２３】
2005115429.tif 000025